(57)【特許請求の範囲】
【請求項１】
刈取り穀稈を脱穀する脱穀装置と、前記脱穀装置からの脱粒物を選別する揺動選別盤と、前記揺動選別盤によって選別された一番物を取出す一番コンベヤ及び一番揚穀筒と、前記揺動選別盤によって選別された二番物を取出す二番コンベヤ及び二番還元機構とを備え、前記脱穀装置は、扱胴及び扱室と、前記扱室から取出された排塵を処理する処理胴及び処理室とを有してなるコンバインにおいて、
前記二番還元機構は、前記二番コンベヤの送り終端側に送り始端側を接続する二番還元揚穀筒と、前記二番還元揚穀筒の送り終端側に送り始端側を接続する二番還元搬送筒とを有し、
前記一番揚穀筒より後方で、前記二番コンベヤから上向きに前記二番還元揚穀筒を延長し、前記二番還元揚穀筒の上端側から前向きに前記二番還元搬送筒を延長し、
前記脱穀装置を構成する脱穀機筐のうち穀粒タンク側にある上部側壁及び下部側壁を、前記下部側壁の方が前記穀粒タンク寄りに位置し、前記上部側壁が前記揺動選別盤と前記処理室との間で内向きに窪むように構成しており、前記内向きに窪んだ前記上部側壁に沿わせて、前記揺動選別盤上に、前記二番還元搬送筒を配置したことを特徴とするコンバイン。
【請求項２】
側面視で前記揺動選別盤と前記処理室との間に前記二番還元搬送筒を配置し、平面視で前記二番還元揚穀筒と前記脱穀機筐の前記上部側壁との間に前記二番還元搬送筒を配置し、前記処理胴と平行に前記二番還元搬送筒を延長したことを特徴とする請求項１に記載のコンバイン。
【請求項３】
前記二番還元搬送筒の前端側でその軸芯線上に放出ケースを配置し、前記処理胴の前端側よりも前方の前記揺動選別盤の上面に向けて前記放出ケースの放出口を開口したことを特徴とする請求項１に記載のコンバイン。
【発明の詳細な説明】
【技術分野】
【０００１】
本発明は、刈取前処理装置によって圃場の未刈り穀稈を刈取り、刈取った穀稈を脱穀装置によって脱穀するコンバインに係り、より詳しくは、脱穀装置から落下した脱粒物が揺動選別盤によって選別され、揺動選別盤を介して一番物（穀粒）が一番コンベヤによって取出され、揺動選別盤を介して二番物（穀粒と藁屑の混合物）が二番コンベヤによって取出されるように構成したコンバインに関するものである。
【背景技術】
【０００２】
従来、コンバインは、エンジンを搭載した走行機体と、前記走行機体を支持する左右の走行部としての走行クローラ等と、操縦ハンドル及び運転座席を有する運転部と、圃場の未刈り穀稈を刈取る刈取前処理装置と、刈取った穀稈を脱穀する脱穀装置とを備え、圃場の未刈り穀稈を連続的に刈取って脱穀し、穀粒を収集するように構成している（例えば、特許文献１参照）。
【０００３】
この場合、従来のコンバインにおいては、揺動選別盤から二番コンベヤによって取出された二番物が、二番還元筒を介して揺動選別盤に戻されるように構成されている。また、二番還元筒の送り終端側に二番放出体を配置し、二番放出体によって二番物を処理してから、揺動選別盤に二番物を戻す構成（例えば、特許文献２参照）も公知である。
【特許文献１】実開昭６２−１９３８２７号公報
【特許文献２】特許第２５８９９６５号公報
【発明の開示】
【発明が解決しようとする課題】
【０００４】
前記従来技術は、特許文献１又は特許文献２に示されるように、脱穀装置の側方に、揺動選別盤の下方の一番コンベヤから一番物を取出す一番揚穀筒が立設されている。また、揺動選別盤の後部の下方側で一番コンベヤより後方に配置された二番コンベヤの送り終端側に接続する二番還元筒は、一番揚穀筒が配置されている側の脱穀装置の側方で、一番揚穀筒の後方から前方上方に延びるように配置されている。その二番還元筒によって、揺動選別盤の前部の上面側に二番物を戻していた。その結果、一番揚穀筒と、二番還元筒とが、揺動選別盤の側方で交叉するように配置されるから、例えば扱胴の排塵を処理するための処理胴の外側方に二番還元筒を設け、充分な広さ（左右幅）の籾受台等を形成した場合、コンバイン（脱穀装置）の左右幅方向の寸法が制限されていると、揺動選別盤の左右方向の幅寸法が制限されて小さくなり、揺動選別盤の選別処理能力を向上できない等の問題がある。
【０００５】
また、脱穀装置に供給された刈取り穀稈が、下扱ぎ構造の扱胴によって脱粒された場合、穀粒等の多量の脱粒物が、揺動選別盤の左右幅方向のうち、左右幅方向の中央から扱胴の回転下手側の一側寄りに片寄って落下する。したがって、フィードチェンが設置された側と反対側になる脱穀装置の扱胴の回転下手側に二番還元筒及び二番物処理部を配置した場合、フィードチェン等に制限されることなく、揺動選別盤の一側に接近させて二番還元筒及び二番物処理部を配置できるが、揺動選別盤の上面のうち、扱胴の回転下手側の一側寄りに、多量の脱粒物及び二番物が片寄り、揺動選別盤の左右幅方向に脱粒物及び二番物が分散しがたくなるので、揺動選別盤における脱粒物及び二番物の選別処理能力が低下する等の問題がある。
【０００６】
本発明の目的は、揺動選別盤の前側の上面に二番物を戻して選別処理できるものでありながら、脱穀装置の一側に二番還元機構をコンパクトに配置できるようにしたコンバインを提供するものである。
【課題を解決するための手段】
【０００７】
前記目的を達成するため、請求項１に係る発明のコンバインは、刈取り穀稈を脱穀する脱穀装置と、前記脱穀装置からの脱粒物を選別する揺動選別盤と、前記揺動選別盤によって選別された一番物を取出す一番コンベヤ及び一番揚穀筒と、前記揺動選別盤によって選別された二番物を取出す二番コンベヤ及び二番還元機構とを備え、前記脱穀装置は、扱胴及び扱室と、前記扱室から取出された排塵を処理する処理胴及び処理室とを有してなるコンバインにおいて、前記二番還元機構は、前記二番コンベヤの送り終端側に送り始端側を接続する二番還元揚穀筒と、前記二番還元揚穀筒の送り終端側に送り始端側を接続する二番還元搬送筒とを有し、前記一番揚穀筒より後方で、前記二番コンベヤから上向きに前記二番還元揚穀筒を延長し、前記二番還元揚穀筒の上端側から前向きに前記二番還元搬送筒を延長し、前記脱穀装置を構成する脱穀機筐のうち穀粒タンク側にある上部側壁及び下部側壁を、前記下部側壁の方が前記穀粒タンク寄りに位置し、前記上部側壁が前記揺動選別盤と前記処理室との間で内向きに窪むように構成しており、前記内向きに窪んだ前記上部側壁に沿わせて、前記揺動選別盤上に、前記二番還元搬送筒を配置したものである。
【０００８】
請求項２に記載の発明は、請求項１に記載のコンバインにおいて、側面視で前記揺動選別盤と前記処理室との間に前記二番還元搬送筒を配置し、平面視で前記二番還元揚穀筒と前記脱穀機筐の前記上部側壁との間に前記二番還元搬送筒を配置し、前記処理胴と平行に前記二番還元搬送筒を延長したものである。
【０００９】
請求項３に記載の発明は、請求項１に記載のコンバインにおいて、前記二番還元搬送筒の前端側でその軸芯線上に放出ケースを配置し、前記処理胴の前端側よりも前方の前記揺動選別盤の上面に向けて前記放出ケースの放出口を開口したものである。
【発明の効果】
【００１０】
請求項１に係る発明によれば、刈取り穀稈を脱穀する脱穀装置と、前記脱穀装置からの脱粒物を選別する揺動選別盤と、前記揺動選別盤によって選別された一番物を取出す一番コンベヤ及び一番揚穀筒と、前記揺動選別盤によって選別された二番物を取出す二番コンベヤ及び二番還元機構とを備え、前記脱穀装置は、扱胴及び扱室と、前記扱室から取出された排塵を処理する処理胴及び処理室とを有してなるコンバインにおいて、前記二番還元機構は、前記二番コンベヤの送り終端側に送り始端側を接続する二番還元揚穀筒と、前記二番還元揚穀筒の送り終端側に送り始端側を接続する二番還元搬送筒とを有し、前記一番揚穀筒より後方で、前記二番コンベヤから上向きに前記二番還元揚穀筒を延長し、前記二番還元揚穀筒の上端側から前向きに前記二番還元搬送筒を延長し、前記脱穀装置を構成する脱穀機筐のうち穀粒タンク側にある上部側壁及び下部側壁を、前記下部側壁の方が前記穀粒タンク寄りに位置し、前記上部側壁が前記揺動選別盤と前記処理室との間で内向きに窪むように構成しており、前記内向きに窪んだ前記上部側壁に沿わせて、前記揺動選別盤上に、前記二番還元搬送筒を配置したものであるから、前記一番揚穀筒より後方の前記二番還元揚穀筒から、前記二番還元搬送筒を介して、前記揺動選別盤の前側の上面に二番物を戻して選別処理できる。前記揺動選別盤と前記処理室との間の前記脱穀機筐を内向きに窪ませて、前記脱穀機筐の外側に前記二番還元搬送筒の設置スペースを簡単に確保でき、前記脱穀装置の一側に二番還元機構をコンパクトに配置できるものである。
【００１１】
請求項２に係る発明によれば、側面視で前記揺動選別盤と前記処理室との間に前記二番還元搬送筒を配置し、平面視で前記二番還元揚穀筒と前記脱穀機筐の前記上部側壁との間に前記二番還元搬送筒を配置し、前記処理胴と平行に前記二番還元搬送筒を延長したものであるから、脱穀機筐における前記揺動選別盤と前記処理室との間の上部側壁を内向きに窪ませることによって、前記二番還元搬送筒をコンパクトに配置できるものでありながら、前記処理室から漏下した穀粒を前記揺動選別盤に落下させるガイド体として、前記脱穀機筐の内面側を利用できるものである。
【００１２】
請求項３に係る発明によれば、前記二番還元搬送筒の前端側でその軸芯線上に放出ケースを配置し、前記処理胴の前端側よりも前方の前記揺動選別盤の上面に向けて前記放出ケースの放出口を開口したものであるから、前記二番還元搬送筒の延長方向に前記放出ケースを延長して、前記放出ケースの前後方向の幅寸法を長尺に形成できる。前記処理胴の前方に形成されるスペースに前記放出ケースをコンパクトに組付けることができ、前記処理胴等によって、前記放出ケースの形状又は前記放出口の開口方向が殆ど制限されない。したがって、前記揺動選別盤における二番物の選別処理能力を簡単に向上できるものである。
【発明を実施するための最良の形態】
【００１３】
以下に、本発明を具体化した実施形態を図面に基づいて説明する。図１はコンバインの左側面図、図２はコンバインの右側面図、図３はコンバインの平面図、図４はコンバインの脱穀装置の左側面断面図、図５は脱穀装置の正面図、図６は脱穀装置の背面図、図７は脱穀装置の平面図、図８は脱穀装置の選別機構の左側断面図、図９は第１の実施形態を示す二番還元機構の左側断面図、図１０は二番還元機構の背面断面図、図１１は扱胴と揺動選別盤と二番還元機構との関係を示す正面断面図、図１２は二番還元機構の一部の斜視図、図１３は図９の変形構造を示す二番還元機構の左側断面図、図１４は図１１の変形構造を示す正面断面図である。図１乃至図３を参照しながら、コンバインの全体構造について説明する。なお、以下の説明では、走行機体１の前進方向に向かって左側を単に左側と称し、同じく前進方向に向かって右側を単に右側と称する。
【００１４】
図１乃至図３に示されるように、本実施形態のコンバインは、左右一対の走行クローラ２（走行部）にて支持された走行機体１を備えている。走行機体１の前部には、穀稈を刈取りながら取込む６条刈り用の刈取前処理装置３が、単動式の昇降用油圧シリンダ４によって刈取回動支点軸４ａ回りに昇降調節可能に装着されている。走行機体１には、フィードチェン６を有する脱穀装置５と、脱穀後の穀粒を貯留する穀粒タンク７とが横並び状に搭載されている。脱穀装置５が走行機体１の前進方向に向かって左側に配置されている（図３参照）。また、穀粒タンク７が走行機体１の前進方向に向かって右側に配置されている。穀粒タンク７の下方（走行機体１の上面側）に籾受け台８が設けられ、穀粒タンク７の内部の穀粒が、穀粒タンク７の下面側の籾排出口９から籾受け台８上の籾袋（図示省略）に排出されるように構成されている。刈取前処理装置３の右側方で、穀粒タンク７の前側方には、運転部１０が設けられている。
【００１５】
運転部１０には、オペレータが搭乗するステップ１１と、運転座席１２を配置している。運転座席１２の前方のハンドルコラム１３に、操縦用の左右のサイドクラッチレバー１４，１５が配置されている。運転座席１２の左側方のレバーコラム１６に、走行変速レバー１７と、脱穀クラッチ及び刈取クラッチ操作用の作業クラッチレバー１８とが、配置されている。運転座席１２の下方の走行機体１には、動力源としてのエンジン２０が配置されている。
【００１６】
図１及び図２に示されるように、走行機体１の下面側に左右のトラックフレーム２１を配置している。トラックフレーム２１には、走行クローラ２にエンジン２０の動力を伝える駆動スプロケット２２と、走行クローラ２のテンションを維持するテンションローラ２３と、走行クローラ２の接地側を接地状態に保持する複数のトラックローラ２４とを設けている。駆動スプロケット２２によって走行クローラ２の前側を支持し、テンションローラ２３によって走行クローラ２の後側を支持し、トラックローラ２４によって走行クローラ２の接地側を支持することになる。
【００１７】
図１乃至図３に示されるように、刈取前処理装置３の刈取回動支点軸４ａに連結した刈取フレーム２２１の下方には、圃場の未刈り穀稈の株元を切断するバリカン式の刈刃装置２２２が設けられている。刈取フレーム２２１の前方には、圃場の未刈り穀稈を引起す４条分の穀稈引起装置２２３が配置されている。穀稈引起装置２２３とフィードチェン６の前端部（送り始端側）との間には、刈刃装置２２２によって刈取られた刈取り穀稈を搬送する穀稈搬送装置２２４が配置されている。なお、穀稈引起装置２２３の下部前方には、圃場の未刈り穀稈を分草する４条分の分草体２２５が突設されている。エンジン２０にて走行クローラ２を駆動して圃場内を移動しながら、刈取前処理装置３を駆動して圃場の未刈り穀稈を連続的に刈取ることになる。
【００１８】
図１及び図２、図４乃至図７に示されるように、脱穀装置５には、穀稈脱穀用の扱胴２６と、扱胴２６の下方に落下する脱粒物を選別する揺動選別機構としての揺動選別盤２７と、揺動選別盤２７に選別風を供給する唐箕ファン２８と、扱胴２６の後部から取出される脱穀排出物を再処理する処理胴２９と、揺動選別盤２７の後部の排塵を機外に排出する排塵ファン３０とを備えている。なお、扱胴２６を回転させる扱胴軸２６ａは、フィードチェン６による穀稈の搬送方向（換言すると走行機体１の進行方向）に沿って延びている。刈取前処理装置３から穀稈搬送装置２２４によって搬送された穀稈の株元側はフィードチェン６に受け継がれて挟持搬送される。そして、この穀稈の穂先側が脱穀装置５の扱室２６ｂ内に搬入されて扱胴２６にて脱穀されることになる。
【００１９】
図４に示されるように、フィードチェン６の後端側（送り終端側）には、排藁チェン３４が配置されている。フィードチェン６の後端側から排藁チェン３４に受け継がれた排藁（穀粒が脱粒された稈）は、長い状態で走行機体１の後方に排出されるか、又は脱穀装置５の後方側に設けた排藁カッタ３５にて適宜長さに短く切断されたのち、走行機体１の後方下方に排出されることになる。
【００２０】
図４に示されるように、揺動選別盤２７の下方側には、揺動選別盤２７にて選別された穀粒（一番物）を取出す一番コンベヤ３１及び一番樋３１ａと、枝梗付き穀粒等の二番物を取出す二番コンベヤ３２及び二番樋３２ａとが設けられている。本実施形態の両コンベヤ３１，３２は、走行機体１の進行方向前側から一番コンベヤ３１、二番コンベヤ３２の順で、側面視において走行クローラ２の後部上方の走行機体１の上面側に横設されている。
【００２１】
図４、図５に示されるように、揺動選別盤２７は、扱胴２６の下方に張設された受網２６ｃから漏下した脱穀物が、揺動選別盤２７のフィードパン２７１及びチャフシーブ２７２によって搖動選別（比重選別）されるように構成している。揺動選別盤２７のグレンシーブ２７３から落下した穀粒（一番物）は、その穀粒中の粉塵が唐箕ファン２８からの選別風によって除去され、一番コンベヤ３１に落下することになる。一番コンベヤ３１のうち脱穀装置５における穀粒タンク７寄りの一側壁（実施形態では右側壁）から外向きに突出した終端部には、上下方向に延びる一番揚穀筒３３が連通接続されている。一番コンベヤ３１から取出された穀粒は、一番揚穀筒３３に内設された一番揚穀コンベヤ３３ａによって穀粒タンク７に搬入され、穀粒タンク７に収集されることになる。
【００２２】
図４、図８に示されるように、チャフシーブ２７２の送り下流側（後方側）にストローラック２７４が配置されている。揺動選別盤２７は、搖動選別（比重選別）によって、チャフシーブ２７２又はストローラック２７４から枝梗付き穀粒等の二番物（穀粒と藁屑等が混在した再選別用の還元再処理物）が二番コンベヤ３２及び二番樋３２ａに落下するように構成している。二番コンベヤ３２によって取出された二番物は、後述する二番還元揚穀筒６１を介してフィードパン２７１の上面側に戻されて再選別されることになる。
【００２３】
なお、チャフシーブ２７２及びストローラック２７４の上面側の比較的軽い藁屑は、排塵ファン３０の前側の吸引口３０ａに吸込まれて、排塵ファン３０の後側の排出口３０ｂから機外に排出されることになる。また、チャフシーブ２７２の送り下流側（後方側）からストローラック２７４の上面側に移動した比較的重い藁屑は、揺動選別盤２７の後端側の三番口３６から機外に排出されることになる。
【００２４】
図４、図８に示されるように、揺動選別盤２７は、脱穀装置５を形成した脱穀機筐５５に、揺動駆動軸５６と、前側ガイドレール５７及び後側ガイドレール５８とを介して、前方斜め下方乃至後方斜め上方に移動可能に配置されている。エンジン２０からの動力によって揺動駆動軸５６を介して揺動選別盤２７が作動し、揺動選別盤２７が前方斜め下方乃至後方斜め上方に往復移動することになる。その結果、扱胴２６の下方に張設された受網３７から漏下した脱粒物が、フィードパン２７１及びチャフシーブ２７２によって搖動選別（比重選別）されるように構成している。
【００２５】
図４、図８に示されるように、唐箕ファン２８の唐箕ファンケース２８ａには、グレンシーブ２７３の下面側と一番コンベヤ３１及び一番樋３１ａの上方とに向けて唐箕ファン２８の選別風を供給する主選別風路４１と、フィードパン２７１の下面側からチャフシーブ２７２の下面側に向けて唐箕ファン２８の選別風を供給するプレ風路４２とを形成している。上述の主選別風路４１は、唐箕ファン２８からの選別風が、グレンシーブ２７３の前方の下方から、グレンシーブ２７３の後方の上方に向けて移動するように形成されている。
【００２６】
また、上述の主選別風路４１は、唐箕ファン２８からの選別風が、一番コンベヤ３１及び一番樋３１ａの上方で前方から後方に向けて移動するように形成されている。即ち、グレンシーブ２７３から一番コンベヤ３１及び一番樋３１ａに落下する穀粒及び塵が、唐箕ファン２８からの選別風によって風選される。その結果、塵が除去された後の穀粒だけが、一番コンベヤ３１及び一番樋３１ａに落下して、一番コンベヤ３１によって穀粒タンク７に取出されるように構成している。
【００２７】
上述したプレ風路４２は、唐箕ファン２８からの選別風が、チャフシーブ２７２の前方下方から後方上方に向けて移動するように形成されている。即ち、扱胴２６から受網２６ｃを介してフィードパン２７１の上面に落下した脱粒物が、フィードパン２７１の後端側からチャフシーブ２７２の前端側に落下するときに、唐箕ファン２８からの選別風によって風選される。その結果、フィードパン２７１からチャフシーブ２７２の上面に移動した脱粒物のうち、チャフシーブ２７２の上面に近い脱粒物の下層側の藁屑（軽量物）が、選別風によって上層側に移動されて、チャフシーブ２７２から落下する藁屑量が低減することになる。また、チャフシーブ２７２の比重選別作用と、唐箕ファン２８からの選別風の風選とによって、脱粒物の上層側の穀粒（重量物）が下層側に移動して、チャフシーブ２７２から早期に漏下することになる。チャフシーブ２７２の比重選別作用が、唐箕ファン２８からの選別風によって助長されて、その選別処理能力（選別精度）が向上するように構成している。
【００２８】
なお、主選別風路４１と、プレ風路４２とから供給された唐箕ファン２８からの選別風は、上述した排塵ファン３０の排塵吸引口３０ａに吸い込まれて排出口３０ｂから排出されたり、三番口３６から脱穀機筐５５の後方に移動するから、扱胴２６からの脱粒物中の藁屑及び粉塵等が、脱穀機筐５５の後部から圃場に向けて排出されることになる。
【００２９】
図４乃至図７に示されるように、上述した処理胴２９は、処理胴２９を回転させる処理胴軸２９ａを介して、処理胴ケース４５と処理受網４６とによって形成された処理胴室２９ｂ内に配置されている。処理胴軸２９ａは、上述した扱胴軸２６ａと平行に（換言すると走行機体１の進行方向）延びている。脱穀機筐５５の前面側に処理胴軸２９ａの前端側を延長して、扱胴軸２６ａの前端側と処理胴軸２９ａの前端側とに、伝動ベルト４７を介してエンジン２０の動力を伝えて、扱胴２６と処理胴２９とが常に連動して回動するように構成している。
【００３０】
図６に示されるように、脱穀機筐５５の右側に処理胴室２９ｂを配置している。処理胴室２９ｂの前端側には、扱室２６ｂの後端側の右側に形成した脱粒排塵口４７を介して、扱室２６ｂの後端側を連通している（図７参照）。扱胴２６の脱粒作用によって発生した扱室２６ｂの脱粒排塵物（穀粒と藁屑との混合物）が、扱胴２６の後端側の扱歯の排出作用によって、扱室２６ｂの後端側から、脱粒排塵口４７を介して、処理胴室２９ｂの前端側に移動するように構成している。処理胴室２９ｂに移動した脱粒排塵物は、処理胴２９によって処理（再脱粒）されるように構成している。
【００３１】
その結果、脱粒排塵物中の穀粒は、処理受網４６から漏下し、下方のチャフシーブ２７２の上面側に落下して、一番コンベヤ３１又は二番コンベヤ３２によって取出されることになる。また、脱粒排塵物中の藁屑等の塵埃は、処理胴室２９ｂの後端側の排塵口から下方のストローラック２７４の上面側に落下した後、三番口３６から機外に排出されることになる。
【００３２】
次に、図５乃至図１２を参照しながら、二番還元機構６０の構造について説明する。図９及び図１０に示す如く、二番還元機構６０は、二番コンベヤ３２の送り終端側に連結する二番還元揚穀筒６１と、二番還元揚穀筒６１の送り終端側に連結する二番還元前方移送筒としての二番還元搬送筒６２とを有している。二番還元揚穀筒６１には二番還元揚穀コンベヤ６３が内設されている。二番還元搬送筒６２には二番還元搬送コンベヤ６４が内設されている。二番コンベヤ３２のうち脱穀装置５における穀粒タンク７寄りの一側壁（実施形態では右側壁）から外向きに突出した送り終端部には、上下方向に延びる二番還元揚穀コンベヤ６３の送り始端側（下端側）が連通接続されている。二番還元揚穀コンベヤ６３の送り終端部（上端側）には、前後方向に延びる二番還元搬送コンベヤ６４の送り始端側（後端側）が連通接続されている。
【００３３】
図９及び図１０に示されるように、脱穀機筐５５における穀粒タンク７寄りの一側壁（実施形態では右側壁）の外面には、下部受継ケース６５が配置されている。下部受継ケース６５の上向き開口側に、二番還元揚穀筒６１の下端側が連結されている。脱穀機筐５５の一側壁（右側壁）のうち下部側壁５５ａの外面に沿わせて二番還元揚穀筒６１が略垂直に立設されている。二番コンベヤ３２の二番コンベヤ軸３２ｂの右側端側と、二番還元揚穀コンベヤ６３の二番還元揚穀コンベヤ軸６３ａの下端側とが、軸受ベヤリング６５ａ，６５ｂを介して下部受継ケース６５にそれぞれ回転可能に軸支されている。二番コンベヤ軸３２ｂの右側端側に、ベベルギヤ機構６６を介して、二番還元揚穀コンベヤ軸６３ａの下端側が連結されている。
【００３４】
図９及び図１０に示されるように、二番還元揚穀筒６１の上端側に上部受継ケース６７が配置されている。上部受継ケース６７の横向き開口側に、二番還元搬送筒６２の後端側が連結されている。脱穀機筐５５の一側壁（右側壁）のうち上部側壁５５ｂの外面に沿わせて二番還元搬送筒６２が略水平に横設されている。一番揚穀筒３３より後方で、二番コンベヤ３２から上向きに二番還元揚穀筒６１を延長し、一番揚穀筒３３の中間に二番還元搬送筒６２の中間を側面視において交叉させるように構成している。
【００３５】
即ち、扱胴２６及び処理胴２９の軸芯線と平行に、前後方向に二番還元搬送筒６２を延長している（図７参照）。換言すると、揺動選別盤２７の一側の外側方に一番揚穀筒３３と二番還元揚穀筒６１とを上向きに延長し、二番還元揚穀筒６１に対して揺動選別盤２７の左右幅内に二番還元搬送筒６２をオフセットさせて配置し、二番還元揚穀筒６１の送り終端側に二番還元搬送筒６２の送り始端側を連結するように構成している。
【００３６】
図４、図６乃至図８に示されるように、扱胴軸２６ａと、処理胴軸２９ａと、二番還元搬送コンベヤ軸６４ａとが、走行機体１の前後方向に、側面視及び平面視で略平行に延長されている。平面視で、扱胴２６と二番還元搬送筒６２との間に処理胴２９が配置されている（図７参照）。背面視で、揺動選別盤２７の左右方向の幅内の上方に扱胴２６及び処理胴２９が配置されている（図６参照）。背面視で、揺動選別盤２７の上面より上方で処理胴２９の軸芯線より下方に二番還元搬送筒６２が配置されている（図６参照）。
【００３７】
図６及び図７、図１０に示されるように、脱穀機筐５５の一側壁（右側壁）の外側方に、二番還元搬送筒６２を挟んで、一番揚穀筒３３と二番還元揚穀筒６１とが配置されている。一番揚穀筒３３と二番還元揚穀筒６１とを後面視でラップさせて配置している。一番揚穀筒３３と二番還元揚穀筒６１とは、二番還元搬送筒６２に沿って前後方向に一列状に配列されるように構成している。脱穀機筐５５の下部側壁５５ａ（右側壁の下方側）は、上部側壁５５ｂ（右側壁の上方側）よりも穀粒タンク７寄りに配置されている（図１０参照）。
【００３８】
図６及び図１０に示されるように、上部側壁５５ｂは、処理受網４６と揺動選別盤２７の上面との間に配置する流穀ガイド体として形成されている。即ち、上部側壁５５ｂの下端側は、内向きに折り曲げられて、二番還元搬送筒６２の左側で、揺動選別盤２７の上面に向けて延長されている。換言すると、脱穀機筐５５の上部側壁５５ｂは、揺動選別盤２７と処理室２９ｂの間で内向きに窪ませるように構成している。処理受網４６から漏下した処理済みの穀粒（脱粒排塵物のうち処理胴２９によって再脱粒された処理物）が、上部側壁５５ｂの内面側の案内によって、揺動選別盤２７の上面に向けて落下されることになる。
【００３９】
なお、図１０に示されるように、下部側壁５５ａの内側面に近接させて、揺動選別盤２７の右側枠板２７ａを対峙させている。右側枠板２７ａの上端側に合成樹脂性の弾性シール材５０の一端側を固着し、下部側壁５５ａの内側面に弾性シール材５０の他端側を弾圧させている。下部側壁５５ａと右側枠板２７ａとの隙間を弾性シール材５０によって閉塞して、揺動選別盤２７の上面側の未選別物（脱粒物）が、下部側壁５５ａと右側枠板２７ａとの隙間に入り込むのを防止している。
【００４０】
図９及び図１０に示されるように、上部受継ケース６７の外側面には、ベベルギヤ機構６８を内設したギヤケース６９と、チェン伝動機構７０を内設したチェンケース７１とが配置されている。二番還元揚穀コンベヤ軸６３ａの上端側に、ベベルギヤ機構６８及びチェン伝動機構７０を介して、二番還元搬送コンベヤ６４の二番還元搬送コンベヤ軸６４ａを連結している。即ち、二番コンベヤ軸３２ｂに、二番還元揚穀コンベヤ軸６３ａを介して、二番還元搬送コンベヤ軸６４ａが連結される。その結果、二番コンベヤ３２と連動して、二番還元揚穀コンベヤ６３と、二番還元搬送コンベヤ６４とが作動することになる。
【００４１】
したがって、チャフシーブ２７２又はストローラック２７４から二番コンベヤ３２及び二番樋３２ａに漏下した二番物は、二番コンベヤ３２から二番還元揚穀コンベヤ６３に受継がれることになる。また、二番還元揚穀コンベヤ６３に受継がれた二番物は、二番還元揚穀コンベヤ６３の送り終端側の掻き出し羽根６３ｂによって、二番還元揚穀コンベヤ６３から二番還元搬送コンベヤ６４に受継がれることになる。
【００４２】
図５、図７、図９、図１１に示されるように、一番還元筒３３よりも前方に延長した二番還元搬送筒６２の前端側には、揺動選別盤２７に二番物を戻す二番放出体としての放出ケース８０が配置されている。フィードパン２７１の上面の右側上方に放出ケース８０が配置され、フィードパン２７１の上面の右側から左側方に向けて放出口８０ａが開口されている。即ち、脱穀機筐５５のうち受網２６ｃに対向した脱穀側壁５５ｃの下端側と、放出ケース８０の上面との間に、上面側ガイド板体９７を固設している（図１１参照）。上面側ガイド板体９７によって、脱穀側壁５５ｃと放出ケース８０との間の隙間が閉塞されている。脱穀側壁５５ｃの下方を介して、扱胴２６の回転下手側（扱室２６ｂの底部の右寄り）に配置された受網２６ｃの下面側に向けて、放出口８０ａが開設されている。放出口８０ａからフィードパン２７１の上面側に向けて、放出ケース８０内の二番物が放出されることになる。
【００４３】
その結果、図６において反時計方向に回転する扱胴２６の下側で脱粒された脱粒物が、フィードパン２７１の上面の左側から右側方に向けて飛散するのに対して、放出口８０ａから放出された二番物は、フィードパン２７１の上面の右側から左側方に向けて飛散するように構成されている。なお、放出口８０ａは、放出ケース８０の前端側の左側面（後述する放出羽根８８を設けた前端側）に形成されている。
【００４４】
したがって、図５において時計方向に回転する扱胴２６からの脱粒物の飛散方向（フィードチェン６側から穀粒タンク７側に向けて飛散）と、放出口８０ａからの二番物の飛散方向（穀粒タンク７側からフィードチェン６側に向けて飛散）とが、フィードパン２７１の左右幅の中央付近で交叉することになる。即ち、フィードパン２７１の左右幅の中央付近で前記脱粒物と二番物とが衝突して、フィードパン２７１の右側寄り（扱胴２６の回転下手側）に前記脱粒物が堆積するのを防止できる。その結果、フィードパン２７１からチャフシーブ２７２に移動する前記脱粒物及び二番物が、チャフシーブ２７２の左右幅方向に拡散して、チャフシーブ２７２における選別作業性を向上できる。
【００４５】
図５、図７、図９に示されるように、前後方向に延長した略円筒状の放出ケース８０の後端側が二番還元搬送筒６２の前端側に着脱可能に連結されている。即ち、二番還元搬送筒６２の前端側に筒フランジ６２ａを熔接にて固着し、放出ケース８０の後端側にケースフランジ８０ｂを熔接にて固着し、筒フランジ６２ａにケースフランジ８０ｂがボルト８１及びナット８２にて着脱可能に締結されている。なお、筒フランジ６２ａに軸受体８３がボルト８４にて着脱可能に締結され、二番還元搬送コンベヤ軸６４ａの前端側が軸受体８３に回転可能に軸支されている。
【００４６】
また、放出ケース８０内には、前後方向に延長した放出軸８５を回転可能に配置している。二番還元搬送コンベヤ軸６４ａの前端側に放出軸８５の後端側が着脱可能に連結され、二番還元搬送コンベヤ軸６４ａと放出軸８５とが一体的に回転するように構成している。なお、放出ケース８０の前面壁に放出軸８５の前端側が回転可能に軸支されている。放出軸８５上には、二番還元搬送筒６２の前端側から放出ケース８０の内部に二番還元搬送筒６２内の二番物を取入れる複数枚（２枚）の取込羽根８６と、放出ケース８０内の二番物を撹拌する二又フォーク形状の複数本の二番処理歯８７と、放出口８０ａからフィードパン２７１の上面に向けて放出ケース８０内の二番物を飛散させる複数枚（２枚）の放出羽根８８とを配置している。
【００４７】
図７、図９、図１２に示されるように、放出軸８５に２条の放出オーガ体８９を被嵌する。放出軸８５の後端側に放出オーガ体８９を介して２枚の取込羽根８６を放射状に配置する。二番還元搬送コンベヤ６４によって二番還元搬送筒６２の前端側に搬送された二番物が、取込羽根８６によって二番放出体としての放出ケース８０内に取込まれることになる。放出軸８５の中間に複数本の二番処理歯８７を放射状に配置する。放出ケース８０の内部に配置する受歯９０は、２本一組の二番処理歯８７の間を通過するように配置されている。
【００４８】
即ち、放出ケース８０内には、２枚の取込羽根８６と、複数本の二番処理歯８７と、放出ケース８０の外側から簡単に脱着できない複数本の受歯９０と、２枚の放出羽根８８と、２条の放出オーガ体８９とが配置されている。取込羽根８６によって放出ケース８０内に取入れられた二番物は、放出オーガ体８９によって放出ケース８０の後端側から前端側に送られながら、二番処理歯８７と受歯９０とによって処理（刺さり粒の脱粒又は藁屑の揉み解し等）されることになる。放出軸８５の前端側に放出オーガ体８９を介して２枚の放出羽根８８を放射状に配置する。放出オーガ体８９によって放出ケース８０の前端側に送られた処理済みの二番物は、放出羽根８８によって放出口８０ａから揺動選別盤２７の上面に向けて排出されることになる（図１１参照）。
【００４９】
上記の構成により、刈取前処理装置３によって圃場の未刈り穀稈が刈取られ、刈取前処理装置３から供給された刈取り穀稈が脱穀装置５によって脱穀された場合、脱穀装置５から落下した脱粒物が、揺動選別盤２７によって選別される。揺動選別盤２７によって選別された一番物としての穀粒が、一番コンベヤ３１によって穀粒タンク７に収集される。また、揺動選別盤２７によって選別された二番物としての穀粒と藁屑の混合物が二番樋３２ａに落下した場合、その二番物は、二番コンベヤ３２から二番還元揚穀コンベヤ６３に受継がれ、二番還元揚穀コンベヤ６３から二番還元搬送コンベヤ６４に受継がれ、二番還元搬送コンベヤ６４から放出ケース８０内に搬送される。
【００５０】
取込羽根８６によって二番還元搬送筒６２の前端側から放出ケース８０の内部に取込まれた二番物は、二番処理歯８７と受歯９０とによって処理（刺さり粒の脱粒及び藁屑の分離等の処理）された後、放出羽根８８によって放出口８０ａからフィードパン２７１の上面に排出され、揺動選別盤２７によって再び選別される。したがって、二番物中の穀粒は、一番コンベヤ３１から穀粒タンク７に搬入される。また、二番物中の藁屑は、チャフシーブ２７２の上面を経て、排塵ファン３０又は三番口３６から機外に排出される。
【００５１】
また、二番コンベヤ３２と、二番還元揚穀コンベヤ６３と、二番還元搬送コンベヤ６４とは、常に連動して回動するが、それぞれの回転数が異なる。二番コンベヤ３２よりも二番還元揚穀コンベヤ６３が高速で回転し、二番還元揚穀コンベヤ６３よりも二番還元搬送コンベヤ６４が高速で回転する。二番コンベヤ３２の単位時間当たりの搬送量よりも二番還元揚穀コンベヤ６３の単位時間当たりの搬送量を多くし、二番還元揚穀コンベヤ６３の単位時間当たりの搬送量よりも二番還元搬送コンベヤ６４の単位時間当たりの搬送量を多くし、二番還元揚穀コンベヤ６３又は二番還元搬送コンベヤ６４の搬送途中で二番物が詰るのを防止している。
【００５２】
上記の記載から明らかなように、穀稈を刈取る刈取前処理装置３と、刈取前処理装置３から搬送された穀稈を扱胴２６によって脱穀する脱穀装置５と、脱穀装置５からの脱粒物を選別する揺動選別機構としての揺動選別盤２７と、揺動選別盤２７を介して一番物を取出す一番コンベヤ３１及び一番揚穀筒３３と、揺動選別盤２７を介して二番物を取出す二番コンベヤ３２及び二番還元機構６０とを備えてなるコンバインにおいて、二番還元機構６０は、二番コンベヤ３２に連結する二番還元揚穀筒６１と、二番還元揚穀筒６１に連結する二番還元搬送筒６２とを有し、揺動選別盤２７の一側の外側方に一番揚穀筒３３と二番還元揚穀筒６１とを上向きに延長し、二番還元揚穀筒６１に対して揺動選別盤２７の左右幅内に二番還元搬送筒６２をオフセットさせて配置し、二番還元揚穀筒６１の送り終端側に二番還元搬送筒６２の送り始端側を連結するように構成している。したがって、脱穀装置５の一側方で一番揚穀筒３３及び二番還元揚穀筒６１を前後に一列状に配置できる。一番揚穀筒３３及び二番還元揚穀筒６１の設置によって、揺動選別盤２７の左右方向の幅寸法が殆ど制限されないから、揺動選別盤の選別処理能力を簡単に向上できる。
【００５３】
また、従来の揺動選別構造に比べ、扱胴２６から穀粒等の脱粒物が片寄って落下する回転下手側の方向に、揺動選別盤２７の左右方向の幅寸法を簡単に拡大できる。即ち、揺動選別盤２７の左右幅方向の中央寄りに扱胴２６から脱粒物を落下させることができるから、揺動選別盤２７の揺動運動等によって、揺動選別盤２７の左右幅方向に、扱胴２６から片寄って落下する脱粒物を簡単に分散させることができる。扱胴２６から片寄って落下する脱粒物の選別処理能力を向上できる。
【００５４】
上記の記載から明らかなように、脱穀装置５は、扱胴２６からの排塵を処理するための処理胴２９を有する構造であって、扱胴２６と二番還元搬送筒６２との間に処理胴２９を配置している。したがって、処理胴２９の下方側に形成されるスペースを利用して、処理胴２９に沿わせて二番還元搬送筒６２を延長でき、脱穀装置５の一側方に二番還元搬送筒６２をコンパクトに設置できる。また、二番還元搬送筒６２の下方側に揺動選別盤２７の設置スペースを簡単に確保でき、二番還元搬送筒６２から揺動選別盤２７の左右幅方向の中央寄りに二番物を簡単に還元でき、前記二番物の選別処理能力を向上できる。
【００５５】
上記の記載から明らかなように、揺動選別機構は、扱胴２６からの脱粒物を選別するための揺動選別盤２７を有する構造であって、揺動選別盤２７の左右方向の幅内の上方に扱胴２６及び処理胴２９を配置し、揺動選別盤２７の上面より上方で処理胴２９の軸芯線より下方に二番還元搬送筒６２を配置している。したがって、処理胴２９の下方側に形成されるスペースを利用して、処理胴２９に沿わせて二番還元搬送筒６２を延長でき、脱穀装置５の一側方に二番還元搬送筒６２をコンパクトに設置できる。また、二番還元搬送筒６２の下方側に揺動選別盤２７の設置スペースを簡単に確保でき、二番還元搬送筒６２から揺動選別盤２７の左右幅方向の中央寄りに二番物を簡単に還元でき、前記二番物の選別処理能力を向上できる。
【００５６】
次に、図１３を参照しながら、図９に示した二番還元機構６０の変形構造について説明する。図１３に示す如く、図９に示す二番処理歯８７と受歯９０とを省略している。即ち、放出軸８５上には、二番還元搬送筒６２の前端側から放出ケース８０の内部に二番還元搬送筒６２内の二番物を取入れる２枚の取込羽根８６と、２条の放出オーガ体８９と、放出口８０ａからフィードパン２７１の上面に向けて放出ケース８０内の二番物を飛散させる２枚の放出羽根８８とを配置している。図９と同様に、放出軸８５の後端側に放出オーガ体８９を介して２枚の取込羽根８６を放射状に配置する。二番還元搬送コンベヤ６４によって二番還元搬送筒６２の前端側に搬送された二番物が、取込羽根８６によって二番放出体としての放出ケース８０内に取込まれることになる。放出軸８５の中間に２条の放出オーガ体８９を被嵌する。取込羽根８６によって放出ケース８０内に取入れられた二番物は、放出オーガ体８９によって放出ケース８０の後端側から前端側に送られることになる。放出軸８５の前端側に２枚の放出羽根８８を放射状に配置する。放出オーガ体８９によって放出ケース８０の前端側に送られた二番物は、放出羽根８８によって放出口８０ａから揺動選別盤２７の上面に向けて排出されることになる。
【００５７】
即ち、放出ケース８０内には、２枚の取込羽根８６と、２枚の放出羽根８８と、２条の放出オーガ体８９とが配置されている。したがって、二番処理歯８７と受歯９０とによって二番物が処理（刺さり粒の脱粒又は藁屑の揉み解し等）される図９の構造に比べ、放出オーガ体８９によって放出ケース８０の前端側に送られる二番物の移送抵抗が低減する。換言すると、放出オーガ体８９によって放出ケース８０の前端側に送られる二番物の移送時間が短縮される。その結果、放出ケース８０内での二番物の滞留時間が短縮され、放出ケース８０内で穀粒が脱ぷするのを防止できたり、二番還元機構６０の搬送途中に二番物（藁屑が多い二番物）が詰るのを防止できることになる。
【００５８】
次に、図１４を参照しながら、図１１に示した揺動選別盤２７の変形構造について説明する。図１４に示す如く、図１１に示した揺動選別盤２７の左右幅寸法に比べ、揺動選別盤２７−２の左右幅寸法を小さく形成している。したがって、フィードチェン６と、扱胴２６と、二番還元機構６０とを配置した脱穀装置５の左右幅寸法が一定の場合、図１１に示した揺動選別盤２７では左右幅方向に設置場所を簡単に変更できないが、図１４に示す揺動選別盤２７−２は、扱胴２６の脱粒能力等に応じて揺動選別盤２７の設置場所を左右幅方向に簡単に変更できたり、脱穀装置５の各部を駆動するための伝動ベルト又はプーリ等の設置スペースを簡単に確保できることになる。
【００５９】
上記の記載及び図１、図４、図６乃至図１１から明らかなように、刈取り穀稈を脱穀する脱穀装置５と、脱穀装置５からの脱粒物を選別する揺動選別盤２７と、揺動選別盤２７によって選別された一番物を取出す一番コンベヤ３１及び一番揚穀筒３３と、揺動選別盤２７によって選別された二番物を取出す二番コンベヤ３１及び二番還元機構６０とを備え、脱穀装置５は、扱胴２６及び扱室２６ｂと、扱室２６ｂから取出された排塵を処理する処理胴２９及び処理室２９ｂとを有してなるコンバインにおいて、二番還元機構６０は、二番コンベヤ３１の送り終端側に送り始端側を接続する二番還元揚穀筒６１と、二番還元揚穀筒６１の送り終端側に送り始端側を接続する二番還元搬送筒６２とを有し、一番揚穀筒３３より後方で、二番コンベヤ３１から上向きに二番還元揚穀筒６１を延長し、二番還元揚穀筒６１の上端側から前向きに二番還元搬送筒６２を延長し、揺動選別盤２７と処理室２９ｂとの間の脱穀機筐５５に沿わせて二番還元搬送筒６２を配置したものであるから、一番揚穀筒３３より後方の二番還元揚穀筒６１から、二番還元搬送筒６２を介して、揺動選別盤２７の前側の上面に二番物を戻して選別処理できる。揺動選別盤２７と処理室２９ｂとの間の脱穀機筐５５を内向きに窪ませて、脱穀機筐５５の外側に二番還元搬送筒６２の設置スペースを簡単に確保でき、脱穀装置５の一側に二番還元機構６０をコンパクトに配置できる。
【００６０】
上記の記載及び図４、図６、図７、図１０から明らかなように、側面視で揺動選別盤２７と処理室２９ｂとの間に二番還元搬送筒６２を配置し、平面視で二番還元揚穀筒６１と脱穀機筐５５との間に二番還元搬送筒６２を配置し、処理胴２９と平行に二番還元搬送筒６２を延長したものであるから、揺動選別盤２７と処理室２９ｂとの間の脱穀機筐５５を内向きに窪ませることによって、二番還元搬送筒６２をコンパクトに配置できるものでありながら、処理室２９ｂから漏下した穀粒を揺動選別盤２７に落下させるガイド体として、脱穀機筐５５の内面側を利用できる。
【００６１】
上記の記載及び図９、図１１から明らかなように、二番還元搬送筒６２の前端側で二番還元搬送コンベヤ６４の軸芯線上に放出ケース８０を配置し、処理胴２９の前端側よりも前方の揺動選別盤２７の上面に向けて放出ケース８０の放出口８０ａを開口したものであるから、二番還元搬送筒６２の延長方向に放出ケース８０を延長して、放出ケース８０の前後方向の幅寸法を長尺に形成できる。処理胴２９の前方に形成されるスペースに放出ケース８０をコンパクトに組付けることができ、処理胴２９等によって、放出ケース８０の形状又は放出口８０ａの開口方向が殆ど制限されない。したがって、揺動選別盤２７における二番物の選別処理能力を簡単に向上できる。
【図面の簡単な説明】
【００６２】
【図１】本発明の第１実施形態の４条刈り用のコンバインの左側面図である。
【図２】コンバインの右側面図である。
【図３】コンバインの平面図である。
【図４】コンバインの脱穀装置の左側面断面図である。
【図５】脱穀装置の正面図である。
【図６】脱穀装置の背面図である。
【図７】脱穀装置の平面図である。
【図８】脱穀装置の選別機構の左側断面図である。
【図９】二番還元機構の左側断面図である。
【図１０】二番還元機構の背面断面図である。
【図１１】扱胴と揺動選別盤と二番還元機構との関係を示す正面断面図である。
【図１２】二番還元機構の一部の斜視図である。
【図１３】図９の二番還元機構の変形構造を示す左側断面図である。
【図１４】図１１の扱胴と揺動選別盤と二番還元機構との関係の変形構造を示す正面断面図である。
【符号の説明】
【００６３】
５  脱穀装置
２６  扱胴
２６ｂ  扱室
２７  揺動選別盤
２９  処理胴
２９ｂ  処理室
３１  一番コンベヤ
３２  二番コンベヤ
３３  一番揚穀筒
５５  脱穀機筐
６０  二番還元機構
６１  二番還元揚穀筒
６２  二番還元搬送筒
８０  放出ケース
８０ａ  放出口
【図１】
0005102567.tif 000002
【図２】
0005102567.tif 000003
【図３】
0005102567.tif 000004
【図４】
0005102567.tif 000005
【図５】
0005102567.tif 000006
【図６】
0005102567.tif 000007
【図７】
0005102567.tif 000008
【図８】
0005102567.tif 000009
【図９】
0005102567.tif 000010
【図１０】
0005102567.tif 000011
【図１１】
0005102567.tif 000012
【図１２】
0005102567.tif 000013
【図１３】
0005102567.tif 000014
【図１４】
0005102567.tif 000015